(57)【要約】【課題】  適切なＮＡでかつ高い光利用効率で使用波長が異なる複数種の光ディスクに対して光束を情報記録面に集光させることが可能な対物レンズとそのレンズを用いた光ピックアップ装置を提供すること。【解決手段】  本発明にかかる対物レンズ５０のレンズ面は、光軸を中心とした同心円状の複数の区間に分割されている。そして、内周領域と、内周領域の外側に設けられた外周領域とを設けている。この内周領域は、第１の光束を第１の光記録媒体の情報記録面上に集光させ、かつ第２の光束を第２の光記録媒体の情報記録面上に集光させる。外周領域は、第１の光束をフレア光とし、第２の光束を第２の光記録媒体の情報記録面上に集光させる。【選択図】  図１
2006351167.tif 000002
【特許請求の範囲】
【請求項１】
波長λ１を有する第１の光束を第１の光記録媒体の情報記録面上に集光させ、かつ波長λ１よりも長い波長λ２を有する第２の光束を第２の光記録媒体の情報記録面上に集光させる対物レンズであって、
少なくとも一方のレンズ面は、光軸を中心とした同心円状の複数の区間に分割されるとともに、当該複数の区間の一部からなり光軸を含む内周領域と、当該複数の区間の一部からなり前記内周領域の外側に設けられた外周領域とを有し、
前記内周領域は、前記第１の光束を前記第１の光記録媒体の情報記録面上に集光させるとともに、前記第２の光束を前記第２の光記録媒体の情報記録面上に集光させ、
前記外周領域は、前記第１の光束をフレア光とし、前記第２の光束を前記第２の光記録媒体の情報記録面上に集光させる対物レンズ。
【請求項２】
前記区間は夫々異なる非球面形状を有することを特徴とする請求項１記載の対物レンズ。
【請求項３】
波長λ１と波長λ２の光束は、ほぼ等しい径で前記対物レンズへ入射されることを特徴とする請求項１又は２記載の対物レンズ。
【請求項４】
前記波長λ１と波長λ２の光束は、いずれも略平行に前記対物レンズに入射されることを特徴とする請求項１〜３いずれかに記載の対物レンズ。
【請求項５】
前記波長λ１と波長λ２の光束は、いずれも収束光束として前記対物レンズに入射されることを特徴とする請求項１〜３いずれかに記載の対物レンズ。
【請求項６】
前記対物レンズは屈折作用により集光させる正のパワーを有していることを特徴とする請求項１〜５いずれかに記載の対物レンズ。
【請求項７】
前記対物レンズにおいて、内周領域は波長λ１の光束は隣り合う区間を透過した光束との光路長が略２ｍλ１（ｍは整数）異なっていることを特徴とする請求項１〜６いずれかに記載の対物レンズ。
【請求項８】
波長λ２の光束は隣り合う区間を透過した光束との光路長が略ｍλ２（ｍは整数）異なっていることを特徴とする請求項７に記載の対物レンズ。
【請求項９】
波長λ３（λ１＜λ２＜λ３）を有する第３の光束が発散光束として入射した場合、該光束を第３の光記録媒体の情報記録面上に集光させることを特徴とする請求項１〜８いずれかに記載の対物レンズ。
【請求項１０】
前記波長λ１は略４０５ｎｍであり、前記波長λ２は略６６０ｎｍであることを特徴とする請求項１〜９いずれかに記載の対物レンズ。
【請求項１１】
前記波長λ３は略７８５ｎｍであることを特徴とする請求項９記載の対物レンズ。
【請求項１２】
前記第１の光束に対する有効径が前記第２の光束に対する有効径よりも小さいことを特徴とする請求項１〜１１いずれかに記載の対物レンズ。
【請求項１３】
波長λ１を有する第１の光束を第１の光記録媒体の情報記録面上に集光させ、波長λ１よりも長い波長λ２を有する第２の光束を第２の光記録媒体の情報記録面上に集光させ、さらに、波長λ２よりも長い波長λ３を有する第３の光束を第３の光記録媒体の情報記録面上に集光させる対物レンズであって、
少なくとも一方のレンズ面は、光軸を中心とした同心円状の複数の区間に分割されるとともに、当該複数の区間の一部からなり光軸を含む第１及び第２の内周領域と、当該複数の区間の一部からなり前記内周領域の外側に設けられた外周領域とを有し、
前記第１の内周領域は、前記第１の光束を前記第１の光記録媒体の情報記録面上に集光させ、前記第２の光束を前記第２の光記録媒体の情報記録面上に集光させ、さらに前記第３の光束を前記第３の光記録媒体の情報記録面上に集光させ、
前記第１の内周領域の外側に位置する前記第２の内周領域は、前記第１の光束を前記第１の光記録媒体の情報記録面上に集光させるとともに、前記第２の光束を前記第２の光記録媒体の情報記録面上に集光させ、
前記外周領域は、前記第１の光束をフレア光とし、前記第２の光束を前記第２の光記録媒体の情報記録面上に集光させ、
前記第２の内周領域及び前記外周領域を透過する第３の光束が前記第３の光記録媒体の情報記録面に集光することを抑制する対物レンズ。
【請求項１４】
前記第３の光束が前記第２の内周領域及び前記外周領域に入射することを制限する開口制限手段によって、前記第２の内周領域及び前記外周領域を透過する第３の光束が前記第３の光記録媒体の情報記録面に集光することを抑制することを特徴とする請求項１３記載の対物レンズ。
【請求項１５】
前記第２の内周領域及び前記外周領域は前記第３の光束をフレア光とし、前記第３の光記録媒体の情報記録面に集光することを抑制することを特徴とする請求項１３記載の対物レンズ。
【請求項１６】
波長λ１を有する第１の光束を出射する第１のレーザと、波長λ１よりも長い波長λ２を有する第２の光束を出射する第２のレーザと、前記第１のレーザより出射された第１の光束を第１の光記録媒体の情報記録面上に集光させ、かつ前記第２のレーザより出射された第２の光束を第２の光記録媒体の情報記録面上に集光させる対物レンズとを備えた光ピックアップ装置であって、
前記対物レンズの少なくとも一方のレンズ面は、光軸を中心とした同心円状の複数の区間に分割されるとともに、当該複数の区間の一部からなり光軸を含む内周領域と、当該複数の区間の一部からなり前記内周領域の外側に設けられた外周領域とを有し、
前記内周領域は、前記第１の光束を前記第１の光記録媒体の情報記録面上に集光させるとともに、前記第２の光束を前記第２の光記録媒体の情報記録面上に集光させ、
前記外周領域は、前記第１の光束をフレア光とし、前記第２の光束を前記第２の光記録媒体の情報記録面上に集光させる光ピックアップ装置。
【請求項１７】
前記対物レンズにおける区間は夫々異なる非球面形状を有することを特徴とする請求項１６記載の光ピックアップ装置。
【請求項１８】
波長λ３（λ１＜λ２＜λ３）を有する第３の光束を発散光束として前記対物レンズに入射させる第３のレーザをさらに備え、
前記対物レンズは、前記第３の光束を第３光記録媒体の情報記録面上に集光させることを特徴とする請求項１６記載の光ピックアップ装置。
【請求項１９】
前記対物レンズは屈折作用により集光させる正のパワーを有していることを特徴とする請求項１６記載の光ピックアップ装置。
【請求項２０】
前記対物レンズにおいて、前記第１の光線は隣り合う区間を透過した光線との光路長が略２ｍλ１（ｍは整数）異なっていることを特徴とする請求項１６記載の光ピックアップ装置。
【請求項２１】
前記第２の光線は隣り合う区間を透過した光線との光路長が略ｍλ２（ｍは整数）異なっていることを特徴とする請求項２０に記載の光ピックアップ装置。
【請求項２２】
前記波長λ１は略４０５ｎｍであり、前記波長λ２は略６６０ｎｍであることを特徴とする請求項１６〜２１いずれかに記載の光ピックアップ装置。
【請求項２３】
前記波長λ３は略７８５ｎｍであることを特徴とする請求項１８記載の光ピックアップ装置。
【請求項２４】
前記第１の光束に対する有効径が前記第２の光束に対する有効径よりも小さいことを特徴とする請求項１６〜２３いずれかに記載の光ピックアップ装置。
【発明の詳細な説明】
【技術分野】
【０００１】
本発明は、複数種類の単色光を用いる多波長用光学系であって、例えばＣＤ（Compact Disc）やＤＶＤ（Digital Versatile Disc）やＨＤ−ＤＶＤ（high  dencity   Digital Versatile Disc）やBlu-rayなど種類が異なる光記録媒体に対応できる互換型の記録再生装置に用いられうる対物レンズ及びそれを用いた光ピックアップ装置に関する。
【背景技術】
【０００２】
近年、ＣＤやＤＶＤなどの種類が異なる光ディスクをともに記録及び／又は再生することができるようにした互換型光ディスク装置が提案され、実用化されている。光ディスクの記録密度は、情報記録面に集光する光スポット径に依存する。そして、光スポット径は、λ／ＮＡ（ただし、λは光源の波長、ＮＡは対物レンズの像側開口数）に比例する。このため、ＣＤとＤＶＤとでは、光ディスク装置に使用される光源の波長、対物レンズのＮＡ及び透明基板の厚さが異なる。
【０００３】
従って、種類が異なる光ディスクを記録、再生する互換型光ディスク装置は、次のように設計する必要がある。
（１）透明基板の厚みの違いに起因して発生する球面収差及び／又は光源波長の違いに起因して発生する色収差を補正する。
（２）夫々の光ディスクの情報の記録、再生に適した光スポットが得られるよう、ＮＡを変化させる。
【０００４】
このような互換型光ディスク装置としては、ピックアップに光ディスクの種類毎に対物レンズを設け、使用する光ディスクの種類に応じて対物レンズを交換したり、光ディスクの種類毎にピックアップを設け、使用する光ディスクの種類に応じてピックアップを交換したりする機構を設けることが考えられる。しかしながら、コストの面や装置の小型化を実現するためには、いずれの種類の光ディスクに対しても同じ対物レンズを用いることが望ましい。
【０００５】
かかる対物レンズの一例が、特許文献１に開示されている。この文献には、薄い透明基板のＤＶＤに対しては、短波長（635ｎｍまたは６５０ｎｍ）の光束を使用し、厚い透明基板のＣＤに対しては、長波長（７８０ｎｍ）の光束を使用する光ディスク装置が開示されている。この光ディスク装置は、これらの光束に共通に使用される対物レンズを備えている。そして、当該光ディスク装置の対物レンズには、正のパワーを有する屈折レンズの一方の面に、輪帯状の微細な段差が密に設けられてなる回折レンズ構造が形成されている。かかる回折レンズ構造は、薄い透明基板のＤＶＤに対して短波長の光束の回折光を、厚い透明基板のＣＤに対して長波長の光束の回折光をそれぞれ情報記録面に集光させるように設計されている。そして、いずれの回折光も同一次数の回折光を情報記録面に集光させるように設計されている。
【０００６】
しかし、上記特許文献１に開示された対物レンズでは、回折レンズ構造による回折光を利用しているため、異なる波長の夫々に対する回折効率を同時に１００％にすることはできないという問題がある。特許文献１に開示された回折レンズでは、ＤＶＤに用いる短波長（略６５０ｎｍ）の光束とＣＤに用いる長波長（略７８０ｎｍ）の光束に対し、それらのほぼ中間の波長で回折効率が１００％となるようにして、使用した光束に対する回折効率をバランスさせている。ここで、回折効率が１００％に達しないということは、入射光の全てを光ディスクの透明基板に設けられた情報記録面に集光することはできないことを意味しており、これが光量損失となる。
【０００７】
また、近年提案、実用化されつつある、さらに短波長の青色レーザを使用した高密度光ディスクは、ＤＶＤの透明基板厚と同等もしくはそれ以下の透明基板厚を有する。この高密度光ディスクの一つにＨＤ−ＤＶＤがある。かかるＨＤ−ＤＶＤとＤＶＤ、ＣＤとの互換を考えた場合、以下の問題が顕在化する。
【０００８】
（１）使用波長域が広帯域（４００nｍ〜７９０ｎｍ程度）になるため、上記特許文献１に開示された対物レンズにおける回折レンズ構造では、ＨＤ−ＤＶＤとＤＶＤ、ＣＤ夫々の回折効率の確保が一層困難となる。従って、ＨＤ−ＤＶＤ、ＤＶＤ、ＣＤ全てで高い光利用効率を得られない。
【０００９】
（２）記録用ＤＶＤでは光量確保の観点から高ＮＡ化（ＮＡ＝０．６３〜０．６５程度）が進んでおり、ＨＤ−ＤＶＤ（ＮＡ＝０．６５）とＤＶＤ（ＮＡ＝０．６３〜０．６５程度）では対物レンズの焦点距離が違うため、波長の短いＨＤ−ＤＶＤよりも波長の長いＤＶＤの有効径が大きくなってしまう。特許文献２のように従来の互換、例えばＤＶＤとＣＤでは常に短波長のディスク（ＤＶＤ）の有効径が大きくなったため、長波長のディスク（ＣＤ）に対しての開口制限が必要となった。ところが更に短波長の光ディスクとの互換（ＨＤ−ＤＶＤとＤＶＤ）では、波長の短いディスクに開口制限を設ける必要が生じる場合がある。
【特許文献１】特開２０００−８１５６６号公報
【特許文献２】特開２００４−２１９４７４号公報
【発明の開示】
【発明が解決しようとする課題】
【００１０】
以上説明したように、従来の対物レンズでは、適切なＮＡでかつ高い光利用効率で使用波長が異なる複数種の光ディスクに対して光束を情報記録面に集光させることが難しいという問題点があった。
【００１１】
本発明の目的は、かかる問題を解消し、適切なＮＡでかつ高い光利用効率で使用波長が異なる複数種の光ディスクに対して光束を情報記録面に集光させることが可能な対物レンズとそのレンズを用いた光ピックアップ装置を提供することにある。
【課題を解決するための手段】
【００１２】
本発明にかかる対物レンズは、波長λ１を有する第１の光束を第１の光記録媒体の情報記録面上に集光させ、かつ波長λ１よりも長い波長λ２を有する第２の光束を第２の光記録媒体の情報記録面上に集光させる対物レンズであって、少なくとも一方のレンズ面は、光軸を中心とした同心円状の複数の区間に分割されるとともに、当該複数の区間の一部からなり光軸を含む内周領域と、当該複数の区間の一部からなり前記内周領域の外側に設けられた外周領域とを有し、前記内周領域は、前記第１の光束を前記第１の光記録媒体の情報記録面上に集光させるとともに、前記第２の光束を前記第２の光記録媒体の情報記録面上に集光させ、前記外周領域は、前記第１の光束をフレア光とし、前記第２の光束を前記第２の光記録媒体の情報記録面上に集光させるものである。
【００１３】
ここで、前記区間は夫々異なる非球面形状を有することが望ましく、波長λ1と波長λ２の光束はほぼ等しい径で前記対物レンズへ入射されることが望ましい。波長λ１と波長λ２の光束は、いずれも略平行に前記対物レンズに入射されてもよく、いずれも発散光束として対物レンズに入射されていてもよい。
【００１４】
また、前記対物レンズは屈折作用により集光させる正のパワーを有していることが好ましい。
【００１５】
さらに、前記対物レンズにおいて、内周領域は波長λ１の光束は隣り合う区間を透過した光束との光路長が略２ｍλ１（ｍは整数）異なっており、波長λ２の光束は隣り合う区間を透過した光束との光路長が略ｍλ２（ｍは整数）異なっていることが好ましい。
【００１６】
また、波長λ３（λ１＜λ２＜λ３）を有する第３の光束が発散光束として入射した場合、該光束を第３の光記録媒体の情報記録面上に集光させることが望ましい。
【００１７】
好適な実施の形態における前記波長λ１は略４０５ｎｍであり、前記波長λ２は略６６０ｎｍであり、前記波長λ３は略７８５ｎｍである。また、第１の光束に対する有効径が前記第２の光束に対する有効径よりも小さいことが望ましい。
本発明にかかる他の対物レンズは、波長λ１を有する第１の光束を第１の光記録媒体の情報記録面上に集光させ、波長λ１よりも長い波長λ２を有する第２の光束を第２の光記録媒体の情報記録面上に集光させ、さらに、波長λ２よりも長い波長λ３を有する第３の光束を第３の光記録媒体の情報記録面上に集光させる対物レンズであって、少なくとも一方のレンズ面は、光軸を中心とした同心円状の複数の区間に分割されるとともに、当該複数の区間の一部からなり光軸を含む第１及び第２の内周領域と、当該複数の区間の一部からなり前記内周領域の外側に設けられた外周領域とを有し、前記第１の内周領域は、前記第１の光束を前記第１の光記録媒体の情報記録面上に集光させ、前記第２の光束を前記第２の光記録媒体の情報記録面上に集光させ、さらに前記第３の光束を前記第３の光記録媒体の情報記録面上に集光させ、前記第１の内周領域の外側に位置する前記第２の内周領域は、前記第１の光束を前記第１の光記録媒体の情報記録面上に集光させるとともに、前記第２の光束を前記第２の光記録媒体の情報記録面上に集光させ、前記外周領域は、前記第１の光束をフレア光とし、前記第２の光束を前記第２の光記録媒体の情報記録面上に集光させ、前記第２の内周領域及び前記外周領域を透過する第３の光束が前記第３の光記録媒体の情報記録面に集光することを抑制するものである。ここで、前記第３の光束が前記第２の内周領域及び前記外周領域に入射することを制限する開口制限手段によって、前記第２の内周領域及び前記外周領域を透過する第３の光束が前記第３の光記録媒体の情報記録面に集光することを抑制することができる。また、前記第３の光束をフレア光とすることにより第２の内周領域及び前記外周領域を透過する第３の光束が前記第３の光記録媒体の情報記録面に集光することを抑制することも可能である。
【００１８】
本発明にかかる光ピックアップ装置は、波長λ１を有する第１の光束を出射する第１のレーザと、波長λ１よりも長い波長λ２を有する第２の光束を出射する第２のレーザと、前記第１のレーザより出射された第１の光束を第１の光記録媒体の情報記録面上に集光させ、かつ前記第２のレーザより出射された第２の光束を第２の光記録媒体の情報記録面上に集光させる対物レンズとを備えた光ピックアップ装置であって、前記対物レンズの少なくとも一方のレンズ面は、光軸を中心とした同心円状の複数の区間に分割されるとともに、当該複数の区間の一部からなり光軸を含む内周領域と、当該複数の区間の一部からなり前記内周領域の外側に設けられた外周領域とを有し、前記内周領域は、前記第１の光束を前記第１の光記録媒体の情報記録面上に集光させるとともに、前記第２の光束を前記第２の光記録媒体の情報記録面上に集光させ、前記外周領域は、前記第１の光束をフレア光とし、前記第２の光束を前記第２の光記録媒体の情報記録面上に集光させるものである。
【００１９】
前記対物レンズにおける区間は夫々異なる非球面形状を有することが望ましい。また、波長λ３（λ１＜λ２＜λ３）を有する第３の光束を発散光束として前記対物レンズに入射させる第３のレーザをさらに備え、前記対物レンズは、前記第３の光束を第３光記録媒体の情報記録面上に集光させることが好ましい。
【発明の効果】
【００２０】
本発明によれば、適切なＮＡでかつ高い光利用効率で使用波長が異なる複数種の光ディスクに対して光束を情報記録面に集光させることが可能な対物レンズとそのレンズを用いた光ピックアップ装置を提供することができる。
【発明を実施するための最良の形態】
【００２１】
以下、本発明の実施の形態について詳細に説明する。
厚さｔ1の透明基板を用いた第１の光ディスクに対し、これを用いる光ディスク装置での対物レンズが良好に収差補正され、この基板に設けられた情報記録面に波長λ１の光束が良好に集光するものとする。かかる光ディスク装置に厚さｔ2の透明基板を用いた第２の光ディスクにλ１とは異なる波長λ２の光束を集光しようとした場合、この光束の波長λ１とλ２の違いと透明基板の厚さｔ2が厚さｔ1との違い、または厚みｔ2とｔ1が同じ場合でも波長λ１とλ２が異なるために、この対物レンズでは透明基板の厚みの違いによる球面収差と、光束の波長の違いにより対物レンズの屈折率が異なるために生じる色収差が発生するか、または前記色収差のみが発生して、情報記録面に光束が良好に集光しない。
【００２２】
本発明にかかる対物レンズは、異なる種類の光ディスクに対してそれぞれ任意の光線高さを通る光線の光路長を収差が出ない、または少ない状態とするように対物レンズの非球面形状を設定することにより、それぞれの光ディスクに対して十分に収差の補正された状態としている。しかも回折作用を用いずに、屈折光線のみで実現するものであるため、回折効率の光量ロスが生じない。
【００２３】
図１は本発明の対物レンズ５０の構成を示した図であり、（ａ）は正面図、（ｂ）は断面図である。図１に示されるように、少なくとも一方のレンズ面は光軸を中心としてレンズ半径方向に同心円状に予め定められた深さｄ又は高さｈ、また固有の非球面形状を有する少なくとも２つ以上の輪帯が形成されている。さらに、少なくとも１つ以上の前記輪帯から構成される光軸を含む内周領域、及び前記内周領域の外側に設けられ、少なくとも1つ以上の前記輪帯から構成される外周領域を有している。
【００２４】
内周領域の各輪帯の非球面形状は、波長λ１と波長λ２の波面収差を共に小さくするように最適化されている。ここで本発明における非球面形状は、光軸からの高さがｈとなる非球面上の座標点における非球面の光軸上での接平面からの距離（サグ量）をＺj（ｈ）、非球面の光軸上での曲率（１／曲率半径）をＣ、コーニック係数をＫ、４次から１６次までの非球面係数をそれぞれＡ４、Ａ６、Ａ８、Ａ１０、Ａ１２、Ａ１４、Ａ１６、定数Ｂとして、以下の数１で表される。
【００２５】
【数１】
2006351167.tif 000003
【００２６】
また、ここでいう波面収差を小さくするとは、いずれの輪帯においても透過する光束の波面収差が±０．１４λｉ以内、好ましくは±０．１３λｉ以内にすることをいう。
隣り合う輪帯の段差ｄは、ｄ≒ｍ×λ１／（ｎ１−１）で表され、ｍは自然数、ｎ１は波長λ１における対物レンズの屈折率である。
【００２７】
外周領域の各輪帯の非球面形状は、波長λ１と波長λ２の光束どちらか一方のみ、波面収差が小さくなるように最適化されている。例えば波長λ２の光束に対して波面収差が小さくなるよう非球面が最適化された場合、波長λ２の光束は集光されるが、外周領域を透過した波長λ１の光束は大きな球面収差を発生し集光されない。いわゆるフレア光となる。従って、本発明の対物レンズは波長λ１の光束が透過した場合、内周領域を透過した光束のみが集光に寄与するので、波長λ１の光束に対して開口制限機能も兼ね備える。ここで、外周領域を透過した波長λ１の光束がフレア光となっているかどうかは次のようにして証明することができる。まず、波長λ１の光束が外周領域に入射せず、内周領域のみに入射するようなメカ絞りを設けて対物レンズを通過した後の光のスポット径及び収差を測定する。次に、メカ絞りを設けない場合、即ち、波長λ１の光束が外周領域及び内周領域の双方に入射する状態でのスポット径及び収差を測定する。外周領域を透過した波長λ１の光束がフレア光である場合において、外周領域を通過した光は、集光位置に殆ど入射しないため、メカ絞りを設ける場合と設けない場合とでスポット径は殆ど変化しないが、外周領域を通過した光は収差が大きいため、メカ絞りを設けない場合には、メカ絞りを設けた場合に比べて収差が大きくなる。この現象を確かめることによって、外周領域を透過した波長λ１の光束がフレア光となっているかどうかを確認できる。
【００２８】
（実施例１）
以下、上述した実施形態を、２種類の光ディスク、ＨＤ−ＤＶＤ（λ１＝４０５nm、ＮＡ＝０．６５、透明基板厚０．６ｍｍ）とＤＶＤ（λ2＝６６０nm、ＮＡ＝０．６５、透明基板厚０．６ｍｍ）とを例に、図面を用いて説明する。図２は、本発明の実施例１に従う光ピックアップ装置の概略構成例を表す模式図である。
【００２９】
図２に示す光ピックアップ装置は、波長４０５ｎｍの光束を発生するＨＤ−ＤＶＤ用レーザ１０ａ、波長６６０ｎｍの光束を発生するＤＶＤ用レーザ１０ｂ、コリメータレンズ２０ａ、２０ｂ、ビームスプリッタ３０ａ、絞り４０、対物レンズ５０、ＨＤ−ＤＶＤディスク６０ａ、ＤＶＤディスク６０ｂから構成されている。
【００３０】
レーザ１０ａ、１０ｂから照射された各光束は、それぞれコリメータレンズ２０ａ、２０ｂを通過して略平行光となり、ビームスプリッタ３０ａによって共通の光路に導かれ、絞り４０を通じて、同じ光束径で対物レンズ５０に入射する。対物レンズ５０を透過した各光束は、ディスク６０ａ、６０ｂの情報記録面上に集光され、光スポットを形成する。
【００３１】
ディスク６０ａ、６０ｂの情報記録面で反射された各光束は再び対物レンズ５０を通じて、検出系（図示せず）により検出されて、光電変換されることによりフォーカスサーボ信号、トラックサーボ信号、及び再生信号などを生成する。
ＨＤ−ＤＶＤ、ＤＶＤ夫々の対物レンズを基準とした光学系の詳細を示すと次の表１のようになる。
【００３２】
【表１】
2006351167.tif 000004
【００３３】
本実施例１では対物レンズは樹脂としたが、ガラスであってもよい。しかし、成型性、量産性、コストの観点から、対物レンズの材料としてはポリオレフィン系やアクリル系の樹脂であることが好ましい。更に好ましくは、対物レンズの材料としては吸水による屈折率変化が少ないポリオレフィン系樹脂がよい。
【００３４】
次に本発明の特徴である対物レンズ５０の具体的な仕様を表２に示す。
【００３５】
【表２】
2006351167.tif 000005
【００３６】
表２に示されるように、ＨＤ−ＤＶＤ、ＤＶＤ共にＮＡが０．６５と同じである。ここで、ＮＡは、有効径／（２＊焦点距離）で表わすことができる。この例では、ＨＤ−ＤＶＤの焦点距離は、ＤＶＤの焦点距離よりも小さいため、ＤＶＤの有効径はＨＤ−ＤＶＤの有効径よりも大きくなる。
【００３７】
そこで、本発明の対物レンズではＨＤ−ＤＶＤ用の波長４０５ｎｍの光束、ＤＶＤ用の波長６６０ｎｍの光束が共に波面収差を低減させ、且つ、同じ入射光束径でも、夫々適切なＮＡで集光されるよう前述の手段を用いている。すなわち、光軸を中心として対物レンズの半径方向に同心円状に複数の輪帯を形成し、さらに、少なくとも１つ以上の前記輪帯から構成される光軸を含む内周領域を設けるとともに、前記内周領域の外側に設けられ、少なくとも1つ以上の前記輪帯から構成される外周領域を設けた。本実施例１においては、光軸を含みＨＤ−ＤＶＤの有効半径に対応する、０〜２．０１６ｍｍのレンズ面を内周領域とし、ＨＤ−ＤＶＤの有効半径以上からＤＶＤの有効半径までに対応する、２．０１６〜２．０８５ｍｍのレンズ面を外周領域とした。即ち、ＨＤ−ＤＶＤとＤＶＤの共通領域を内周領域とし、ＨＤ−ＤＶＤの有効径よりも外のＤＶＤの専用領域を外周領域としている。
【００３８】
実施例１の対物レンズにおける各輪帯の範囲と数１の各定数Ｃ，Ｋ，Ａ４，Ａ６，Ａ８，Ａ１０，Ａ１２，Ａ１４，Ａ１６、Ｂを表３に示す。
【００３９】
【表３】
2006351167.tif 000006
【００４０】
表３において、輪帯１〜９（０〜２．０１６ｍｍ）が内周領域、輪帯１０のみ（２．０１６〜２．０８５ｍｍ）が外周領域に対応する。
【００４１】
図３に本実施例１にかかるＨＤ−ＤＶＤの球面収差図を示し、図４に本実施例１にかかるＤＶＤの球面収差図を示す。図４に示されるように、ＤＶＤ用の波長６６０ｎｍの光束に対してはＮＡ０．６５までの全開口に亘って収差が補正されている。実施例１では、ＤＶＤに関しては、ＮＡ０．６３〜ＮＡ０．６５までが外周領域に対応し、ＤＶＤのみに用いられる専用領域が、この領域においても比較的低い球面収差の範囲に収まっている。
【００４２】
一方、図３に示されるように、ＨＤ−ＤＶＤ用の波長４０５ｎｍの光束に対しては、内周領域に対応する実使用範囲であるＮＡ０．６５までは収差が補正されているが、外周領域に対応するＮＡ０．６５以上の部分については大きな球面収差が発生し、フレア光となっていることがわかる。従って、ＨＤ−ＤＶＤ用の波長４０５ｎｍの光束に関しては、ＮＡ０．６５以上の光束は集光されず、光スポットの形成に寄与しないため、ＮＡ０．６５の適正な光スポット径を得ることができる。即ち、ＨＤ−ＤＶＤ用の波長４０５ｎｍの光束に関しては、内周領域を透過して光ディスクの情報記録面に届いた光束は当該情報記録面上の集光するが、外周領域を透過して光ディスクの情報記録面に届いた光束は集光しない。
【００４３】
図５に本実施例１にかかるＨＤ−ＤＶＤの波面収差図を示し、図６に本実施例１にかかるＤＶＤの波面収差図を示す。ＨＤ−ＤＶＤ、ＤＶＤ共に波面収差は０．１３λ以下になっており、ＲＭＳ波面収差値を求めるとＨＤ−ＤＶＤは０．０３０３λｒｍｓ、ＤＶＤは０．０３１６λｒｍｓとなる。従って、限界の波面収差値であるマレシャルの評価基準値０．０７０λｒｍｓを大きく下回っており、いずれも充分に波面収差が低減されていることがわかる。
【００４４】
また本実施例１におけるＨＤ−ＤＶＤ、ＤＶＤの光スポット図を図７，８に示す。１／ｅ２（＝０．１３５）の相対光強度となる光スポット径は、ＨＤ−ＤＶＤで０．５１９μｍ、ＤＶＤで０．８３８μｍである。尚、無収差の理想的な光学系における、光スポット径は、ほぼ０．８２×波長／ＮＡとなることが知られている。現実のレンズでは０．８２×波長／ＮＡの値の０．９倍〜１．０２倍位の値となっていることが望ましい。光スポット径は、小さすぎると、超解像などの副作用が出るおそれがあり、大きすぎると光スポットの集光特性が悪くなり、ジッター特性などへの悪影響が発生する。本実施例１にかかるＨＤ−ＤＶＤ（波長４０５ｎｍ、ＮＡ０．６５）では、０．８２×波長／ＮＡ＝０．５１１μｍで、現実の光スポット径は０．５１９μｍなので１．０１５倍、ＤＶＤ（波長６６０ｎｍ、ＮＡ０．６５）では、０．８２×波長／ＮＡ＝０．８３２μｍで、現実の光スポット径は０．８３８μｍなので、現実の光スポット径は１．００７倍となり、前述の望ましい範囲に収まっていることから、ＨＤ−ＤＶＤ、ＤＶＤ共に良好な光スポットが形成されていることがわかる。
【００４５】
また、本実施例１の対物レンズ５０における各輪帯を透過する光束の光路長の差を表４に示す。
【００４６】
【表４】
2006351167.tif 000007
【００４７】
第２〜１０輪帯を透過する光束の概略光路長と第１輪帯の概略光路長との差は、波長６６０ｎｍのＤＶＤではｍλ（ｍは整数）程度であり、波長４０５ｎｍのＨＤ−ＤＶＤに対して、２ｍλ（ｍは整数）程度となるように設計されている。
【００４８】
（実施例２）
実施例２にかかる光ピックアップ装置は、ＨＤ−ＤＶＤ（λ１＝４０５nm、ＮＡ＝０．６５、透明基板厚０．６ｍｍ）とＤＶＤ（λ2＝６６０nm、ＮＡ＝０．６５、透明基板厚０．６ｍｍ）とＣＤ（λ３＝７８５nm、ＮＡ＝０．５０、透明基板厚１．２ｍｍ）の３種類の光ディスクに対応することができる。図９は、実施例２に従う光ピックアップ装置の概略構成例を表す模式図である
【００４９】
図９に示される光ピックアップ装置は、波長４０５ｎｍの光束を発生するＨＤ−ＤＶＤ用レーザ１０ａ、波長６６０ｎｍの光束を発生するＤＶＤ用レーザ１０ｂ、波長７８５ｎｍの光束を発生するＣＤ用レーザ１０ｃ、コリメータレンズ２０ａ、２０ｂ、２０ｃ、ビームスプリッタ３０ａ、３０ｂ、開口制限素子４１、対物レンズ５０、ＨＤ−ＤＶＤディスク６０ａ、ＤＶＤディスク６０ｂ、ＣＤディスク６０ｃから構成されている。
【００５０】
レーザ１０ａ、１０ｂから出射された各光束は、それぞれコリメータレンズ２０ａ、２０ｂを通過して略平行光となり、ビームスプリッタ３０ａによって共通の光路に導かれ、ビームスプリッタ３０ｂ、開口制限素子４１を通じて、同じ光束径で対物レンズ５０に入射する。対物レンズ５０を透過した各光束は、ディスク６０ａ、６０ｂの情報記録面上に集光され、光スポットを形成する。
【００５１】
ディスク６０ａ、６０ｂの情報記録面で反射された各光束は、再び対物レンズ５０を通じて検出系（図示せず）により検出されて、光電変換されることによりフォーカスサーボ信号、トラックサーボ信号、及び再生信号などを生成する。
【００５２】
レーザ１０ｃから出射された光束は、コリメータレンズ２０ｃを通じて発散角が変換され、ビームスプリッタ３０ｂ、開口制限素子４１を通じて、レーザ１０ａ、１０ｂから照射された光束とは異なる光束径で、発散光として対物レンズ５０に入射する。対物レンズ５０を透過した光束は、ディスク６０ｃの情報記録面上に集光され、光スポットを形成する。
【００５３】
ディスク６０ｃの情報記録面で反射された光束は再び対物レンズ５０を通じて、検出系（図示せず）により検出されて、光電変換されることによりフォーカスサーボ信号、トラックサーボ信号、及び再生信号などを生成する。
【００５４】
本実施例２では、ＣＤのみ対物レンズへの入射光束の発散度合いを設定することにより収差を低減させる構成となっている。
【００５５】
また開口制限素子４１は例えば図１０に示すようなものを用いればよい。レーザ１０ａ、１０ｂから出射された光束は開口制限素子４１を透過した後、同じ光束径となるが、レーザ１０ｃから出射された光束は、開口制限素子４１透過後、レーザ１０ａ、１０ｂから出射された光束とは異なる光束径となる。この例では、開口制限素子４１を透過し、対物レンズ５０に入射したときの光束径は、レーザ１０ｃから出射された光束の方が、レーザ１０ａ、１０から出射された光束よりも小さい。なお、開口制限素子４１は、対物レンズ５０の表面に波長選択性フィルタを設けることによって構成することも可能である。
【００５６】
ＨＤ−ＤＶＤ、ＤＶＤ、ＣＤ夫々の対物レンズを基準とした光学系の詳細を示すと次の表５のようになる。
【００５７】
【表５】
2006351167.tif 000008
【００５８】
本実施例２では対物レンズは樹脂としたが、ガラスであってもよい。しかし、成型性、量産性、コストの観点からポリオレフィン系やアクリル系の樹脂であることが好ましい。
更に好ましくは、吸水による屈折率変化が少ないポリオレフィン系樹脂がよい。
【００５９】
次に実施例２の本発明の特徴である対物レンズ５０の具体的な仕様を表６に示す。
【００６０】
【表６】
2006351167.tif 000009
【００６１】
表６に示すとおり、ＨＤ−ＤＶＤとＤＶＤで入射光束径は同じであるが有効径はＤＶＤが大きくなっている。そこで本実施例２においては、ＨＤ−ＤＶＤの有効半径（有効径／２）に対応する、０〜１．３００ｍｍのレンズ面を内周領域とし、ＨＤ−ＤＶＤの有効半径以上からＤＶＤの有効半径までに対応する、１．３００〜１．３４４ｍｍのレンズ面を外周領域とした。なお、ＣＤに関しては前述したとおり、開口制限素子で入射光束径を適切な有効径になるよう合わせた。また、ＣＤの物体距離は波面収差が小さくなるように最適化して決められた値である。
実施例２の対物レンズにおける各輪帯の範囲と数１の各定数Ｃ，Ｋ，Ａ４，Ａ６，Ａ８，Ａ１０，Ａ１２，Ａ１４，Ａ１６，Ｂを表７に示す。
【００６２】
【表７】
2006351167.tif 000010
【００６３】
表７において、輪帯１〜６（０〜１．３００ｍｍ）が内周領域、輪帯７のみ（１．３００〜１．３４４ｍｍ）が外周領域に対応する。
【００６４】
図１１に本実施例２におけるＨＤ−ＤＶＤの球面収差図、図１２に同ＤＶＤの球面収差図、図１３に同ＣＤの球面収差図を示す。図１２に示されたとおり、波長６６０ｎｍの光に対してはＮＡ０．６５までの全開口で収差が補正されている。一方、図１１より波長４０５ｎｍの光束に対しては、内周領域に対応する実使用範囲であるＮＡ０．６５までは収差が補正されているが、外周領域に対応するＮＡ０．６５以上の部分については大きな球面収差が発生し、フレア光となっていることがわかる。これにより、波長４０５ｎｍの光束は、ＮＡ０．６５の適正な光スポット径を得ることが可能となっている。また、波長７９０ｎｍの光束に対してはＮＡ０．５までの全開口がほぼ無収差となっている。これは、ＣＤのみ適切な物体距離で発散光を入射させたことによる。
【００６５】
図１４、１５、１６に、それぞれ本実施例２におけるＨＤ−ＤＶＤ、ＤＶＤ、ＣＤの波面収差図を示す。ＨＤ−ＤＶＤ、ＤＶＤ、ＣＤ夫々波面収差は０．０１３λ以下となっており、ＲＭＳ波面収差値を求めるとＨＤＤＶＤは０．０３０６λｒｍｓ、ＤＶＤは０．０３４６λｒｍｓ、ＣＤは０．０１３３λｒｍｓとなる。従って、限界の波面収差値であるマレシャルの評価基準値０．０７０λｒｍｓを大きく下回っており、いずれも充分に波面収差が低減されていることがわかる。
【００６６】
また本実施例２におけるＨＤ−ＤＶＤ、ＤＶＤ、ＣＤの光スポット図をそれぞれ図１７，１８、１９に示す。１／e２（＝０．１３５）の相対光強度となる光スポット径は、ＨＤ−ＤＶＤで０．５０７μｍ、ＤＶＤで０．８２８μｍ、ＣＤで１．３０２μｍとなっている。無収差の理想的な光学系での光スポット径（０．８２×波長／ＮＡ）と比較すると、ＨＤ−ＤＶＤで０．９７７倍、ＤＶＤで０．９８８倍、ＣＤで１．０１１倍となっている。前述したとおり０．８２×波長／ＮＡの値の０．９倍〜１．０２倍位の値となることが望ましく、全て前記範囲に収まっていることから、ＨＤ−ＤＶＤ、ＤＶＤ、ＣＤ夫々良好な光スポットが形成されていることがわかる。
【００６７】
また、本実施例の対物レンズのＨＤ−ＤＶＤ、ＤＶＤ、ＣＤの光利用効率を表８に示す。ここで光利用効率は、ＨＤ−ＤＶＤ、ＤＶＤ、ＣＤ各々の無収差理想レンズの光スポット０次リング内光量積算値を１００とした時の、本実施例の対物レンズの０次リング内光量積算値とした。なお、０次リングとは光スポット図の中心のピークに対応する。
【００６８】
【表８】
2006351167.tif 000011
【００６９】
表８に示すように、本発明の対物レンズは、ＨＤ−ＤＶＤ、ＤＶＤ、ＣＤ夫々で高い光利用効率が得られている。これは、本発明の対物レンズが回折作用を用いず、屈折のみで実現されたことによる。
【００７０】
本実施例２の対物レンズ５０における、各輪帯を透過する光束の第１輪帯との概略光路長の差を表９に示す。
【００７１】
【表９】
2006351167.tif 000012
【００７２】
第２〜７輪帯を透過する光束の概略光路長と第１区間の概略光路長との差は、波長６６０ｎｍのＤＶＤではｍλ（ｍは整数）程度となっており、波長４０５ｎｍのＨＤＤＶＤに対して、２ｍλ（ｍは整数）程度となる設計になっている。
【００７３】
（実施例３）
実施例３にかかる光ピックアップ装置は、ＨＤ−ＤＶＤ（λ１＝４０５nm、ＮＡ＝０．６５、透明基板厚０．６ｍｍ）とＤＶＤ（λ2＝６６０nm、ＮＡ＝０．６５、透明基板厚０．６ｍｍ）とＣＤ（λ３＝７８５nm、ＮＡ＝０．５０、透明基板厚１．２ｍｍ）の３種類の光ディスクに対応することができる。図２０は、実施例３に従う光ピックアップ装置の概略構成例を表す模式図である
【００７４】
図２０に示す光ピックアップ光学系は、波長４０５ｎｍの光束を発生するＨＤ−ＤＶＤ用レーザ１０a、ＤＶＤ用レーザ１０ｂ、ＣＤ用レーザ／検出器モジュール１０ｃ、ビームスプリッタ−３０ａ、３０ｂ、３０ｃ、発散角変換レンズ５１、開口制限素子４２、対物レンズ５０、ＨＤ−ＤＶＤディスク６０ａ、ＤＶＤディスク６０ｂ、ＣＤディスク６０ｃ、検出レンズ７０、ＨＤ−ＤＶＤ／ＤＶＤ用光検出器８０から構成されている。
ＨＤ−ＤＶＤ用レーザ１０ａ、ＤＶＤ用レーザ１０ｂから照射された光束は、ビームスプリッター３０ａを通じて共通の光路に導かれ、ビームスプリッター３０ｂ、発散角変換レンズ５１を通過して収束光となり、開口制限素子４２を通じて、対物レンズ５０に入射する。対物レンズ５０を透過した光束は、ＨＤ−ＤＶＤディスク６０ａの情報記録面上に集光され、光スポットを形成する。ここで、ＨＤ−ＤＶＤ用レーザ１０ａから発散角変換レンズ５１までの距離はＨＤ−ＤＶＤで収差が充分低減されるように設定されている。さらにＤＶＤ用レーザ１０ｂと発散角変換レンズ５１までの距離をＨＤ−ＤＶＤ用レーザ１０ａから発散角変換レンズ５１までの距離とほぼ等しくすることで、光検出器の共通化が可能となる。
【００７５】
ＨＤ−ＤＶＤディスク６０ａ、ＤＶＤディスク６０ｂの情報記録面で反射された光束は再び対物レンズ５０を通じて、ビームスプリッター３０ｂにて光路を変更し、検出レンズ７０を通じ、ＨＤ−ＤＶＤ／ＤＶＤ用光検出器８０で検出され、光電変換されることによりフォーカスサーボ信号、トラックサーボ信号、及び再生信号などを生成する。
ＣＤの場合、ＣＤ用レーザ／検出器モジュール１０ｃから照射された光束は、ビームスプリッター３０ｃを通じてＨＤ−ＤＶＤ、ＤＶＤと共通の光路に導かれ、開口制限素子４２を通じて、発散光で対物レンズ５０に入射する。対物レンズ５０を透過した光束は、ＣＤディスク６０ｃの情報記録面上に集光され、光スポットを形成する。ここで、ＣＤ用レーザ／検出器モジュール１０ｃの位置はＣＤで収差が充分低減されるように設定されている。
ＣＤディスク６０ｃの情報記録面で反射された光束は再び対物レンズ５０を通じて、ビームスプリッター３０ｃにて光路を変更し、ＣＤ用レーザ／検出器モジュール１０ｃで検出され、光電変換されることによりフォーカスサーボ信号、トラックサーボ信号、及び再生信号などを生成する。
【００７６】
本実施例３では、ＨＤ−ＤＶＤ及びＤＶＤについては収束光とし、ＣＤのみ対物レンズへの入射光束の発散度合いを設定することにより収差を低減させる構成となっている。
【００７７】
開口制限素子４２は例えば実施例２で用いたものと同じものを用いることができる。ＨＤ−ＤＶＤ、ＤＶＤ、ＣＤ夫々の対物レンズを基準とした光学系の詳細を示すと次の表１０のようになる。
【００７８】
【表１０】
2006351167.tif 000013
【００７９】
本実施例３では対物レンズは樹脂としたが、ガラスであってもよい。しかし、成型性、量産性、コストの観点からポリオレフィン系やアクリル系の樹脂であることが好ましい。
更に好ましくは、吸水による屈折率変化が少ないポリオレフィン系樹脂がよい。
【００８０】
次に実施例３の本発明の特徴である対物レンズ５０の具体的な仕様を表１１に示す。
【００８１】
【表１１】
2006351167.tif 000014
【００８２】
表１１に示すとおり、ＨＤ−ＤＶＤとＤＶＤで入射光束径は同じであるが有効径はＤＶＤが大きくなっている。そこで本実施例３においては、ＨＤ−ＤＶＤの有効半径（有効径／２）に対応する、０〜１．２４２ｍｍのレンズ面を内周領域とし、ＨＤ−ＤＶＤの有効半径以上からＤＶＤの有効半径までに対応する、１．２４２〜１．２７９ｍｍのレンズ面を外周領域とした。なお、ＣＤに関しては前述したとおり、開口制限素子で入射光束径を適切な有効径になるよう合わせた。また、ＣＤの物体距離は波面収差が小さくなるように最適化して決められた値である。
【００８３】
実施例３の対物レンズにおける各輪帯の範囲と数１の各定数Ｃ，Ｋ，Ａ４，Ａ６，Ａ８，Ａ１０，Ａ１２，Ａ１４，Ａ１６，Ｂを表１２に示す。
【００８４】
【表１２】
2006351167.tif 000015
【００８５】
表１２において、輪帯１〜４（０〜１．２４２ｍｍ）が内周領域、輪帯５のみ（１．２４２〜１．２７９ｍｍ）が外周領域に対応する。
【００８６】
図２１に本実施例３におけるＨＤ−ＤＶＤの球面収差図、図２２に同ＤＶＤの球面収差図、図２３に同ＣＤの球面収差図を示す。図２２に示されたとおり、波長６６０ｎｍの光に対してはＮＡ０．６５までの全開口で収差が補正されている。一方、図２１より波長４０５ｎｍの光束に対しては、内周領域に対応する実使用範囲であるＮＡ０．６５までは収差が補正されているが、外周領域に対応するＮＡ０．６５以上の部分については大きな球面収差が発生し、フレア光となっていることがわかる。これにより、波長４０５ｎｍの光束は、ＮＡ０．６５の適正な光スポット径を得ることが可能となっている。また、波長７９０ｎｍの光束に対してはＮＡ０．５までの全開口がほぼ無収差となっている。これは、ＣＤのみ適切な物体距離で発散光を入射させたことによる。
【００８７】
本実施例３におけるＨＤ−ＤＶＤの波面収差は０．０３３５７（λｒｍｓ）、ＤＶＤの波面収差は０．０３６３９（λｒｍｓ）、ＣＤの波面収差は０．０１４２０（λｒｍｓ）であった。従って、限界の波面収差値であるマレシャルの評価基準値０．０７０λｒｍｓを大きく下回っており、いずれも充分に波面収差が低減されていることがわかる。
【００８８】
本実施例３の対物レンズ５０における、各輪帯を透過する光束の光路長の差を表１３に示す。
【００８９】
【表１３】
2006351167.tif 000016
【００９０】
第２〜５輪帯を透過する光束の概略光路長と第１区間の概略光路長との差は、波長６６０ｎｍのＤＶＤではｍλ（ｍは整数）程度となっており、波長４０５ｎｍのＨＤ−ＤＶＤに対して、２ｍλ（ｍは整数）程度となる設計になっている。
【図面の簡単な説明】
【００９１】
【図１】本発明の実施形態にかかる対物レンズの概略図であり、（ａ）は正面図、（ｂ）断面図である
【図２】実施例１の光ピックアップ装置の概略構成図である。
【図３】実施例１の対物レンズのＨＤ−ＤＶＤでの球面収差図である。
【図４】実施例１の対物レンズのＤＶＤでの球面収差図である。
【図５】実施例１の対物レンズのＨＤ−ＤＶＤでの波面収差図である。
【図６】実施例１の対物レンズのＤＶＤでの波面収差図である。
【図７】実施例１の対物レンズのＨＤ−ＤＶＤでの光スポット図である。
【図８】実施例１の対物レンズのＤＶＤでの光スポット図である。
【図９】実施例２の光ピックアップ装置の概略構成図である。
【図１０】実施例２に用いる開口制限素子例の正面図である。
【図１１】実施例２の対物レンズのＨＤ−ＤＶＤでの球面収差図である。
【図１２】実施例２の対物レンズのＤＶＤでの球面収差図である。
【図１３】実施例２の対物レンズのＣＤでの球面収差図である。
【図１４】実施例２の対物レンズのＨＤ−ＤＶＤでの波面収差図である。
【図１５】実施例２の対物レンズのＤＶＤでの波面収差図である。
【図１６】実施例２の対物レンズのＣＤでの波面収差図である。
【図１７】実施例２の対物レンズのＨＤ−ＤＶＤでの光スポット図である。
【図１８】実施例２の対物レンズのＤＶＤでの光スポット図である。
【図１９】実施例２の対物レンズのＣＤでの光スポット図である。
【図２０】実施例３の光ピックアップ装置の概略構成図である。
【図２１】実施例３の対物レンズのＨＤ−ＤＶＤでの球面収差図である。
【図２２】実施例３の対物レンズのＤＶＤでの球面収差図である。
【図２３】実施例３の対物レンズのＣＤでの球面収差図である。
【符号の説明】
【００９２】
１０a〜ｃ  光源
２０a〜ｃ  コリメータレンズ
３０a〜ｃ  ビームスプリッタ
４０      絞り
４１      開口制限素子
５０      対物レンズ
６０a〜ｃ  光ディスク
７０      検出レンズ
８０      ＨＤ−ＤＶＤ／ＤＶＤ用光検出器
【図１】
2006351167.tif 000017
【図２】
2006351167.tif 000018
【図３】
2006351167.tif 000019
【図４】
2006351167.tif 000020
【図５】
2006351167.tif 000021
【図６】
2006351167.tif 000022
【図７】
2006351167.tif 000023
【図８】
2006351167.tif 000024
【図９】
2006351167.tif 000025
【図１０】
2006351167.tif 000026
【図１１】
2006351167.tif 000027
【図１２】
2006351167.tif 000028
【図１３】
2006351167.tif 000029
【図１４】
2006351167.tif 000030
【図１５】
2006351167.tif 000031
【図１６】
2006351167.tif 000032
【図１７】
2006351167.tif 000033
【図１８】
2006351167.tif 000034
【図１９】
2006351167.tif 000035
【図２０】
2006351167.tif 000036
【図２１】
2006351167.tif 000037
【図２２】
2006351167.tif 000038
【図２３】
2006351167.tif 000039